(57)【要約】      （修正有）【課題】ブロア１０で吸引した空気をヒータ９ｂで温風にしてペットに吹き付けることによりペットを乾燥させるペットの乾燥機１であって、ブロア１０で吸引する空気の大半を内気とし外気を少し混合させるよう構成して、小さなヒータを使用して短時間の間にペットを乾燥させることのできるペットの乾燥機１を提供する。【解決手段】ケーシング３の中に、５０％以上の開口率を有する部材からなる円筒形状の籠２と、籠２の外側を公転するノズルダクト７ｃを設けたペットの乾燥機１とし、ノズルダクト７ｃに空気を送風するブロア１０と、ブロア１０で送風する空気を暖めるヒータ９ｂとを設け、ファンを有する外気ダクト１２を設け、外気吹出口１２ｂの面積をブロアの空気吸引口１０ａの面積より小さくし、空気吸引口１０ａと外気吹出口１２ｂの間に隙間１５を設けた。【選択図】図２
0003113155.tif 000002
【実用新案登録請求の範囲】
【請求項１】
ブロアで吸引した空気をヒータで加熱して温風にし、前記温風を吹き付けてペットを乾燥させるペットの乾燥機において、ペットの乾燥機の外の空気（以下単に「外気」という。）とペット乾燥機の中の空気（以下単に「内気」という。）とを適宜混合して前記ブロアで吸引するように構成したことを特徴とするペットの乾燥機。
【請求項２】
ブロアで吸引した空気をヒータで加熱して温風にし、前記温風を吹き付けてペットを乾燥させるペットの乾燥機において、外気を前記ブロアの空気吸引口まで送風するファンと外気ダクトを設け、前記外気ダクトの外気吹出口と前記空気吸引口との間に隙間を設けたことを特徴とするペットの乾燥機。  
【請求項３】
請求項２に記載したペットの乾燥機において、外気ダクトの外気吹出口の面積をブロアの空気吸引口の面積より小さくし、前記空気吸引口を正面から見たときに前記外気吹出口が前記空気吸引口の面積内に収まるよう配置したことを特徴とするペットの乾燥機。
【請求項４】
ブロアで吸引した空気をヒータで加熱して温風にし、前記温風を吹き付けてペットを乾燥させるペットの乾燥機において、前記ブロアの空気吸引口に合流ダクトを取り付け、前記合流ダクトの一方の口を外気を吸い込む外気吸込口とし、前記合流ダクトの他方の口を内気を吸い込む内気吸込口とし、それぞれの風路に流量調節手段を設けたことを特徴とするペットの乾燥機。
【請求項５】
請求項１〜請求項４のいずれかに記載したペットの乾燥機であって、５０％以上の開口率を有する部材からなる円筒面又は略円筒面（以下単に「円筒面」という。）を有する籠と、前記円筒面の外側を公転し前記円筒面側にノズルを有するノズルダクトと、前記ノズルダクトに空気を送風するブロアと、前記ブロアで送風する空気を暖めるヒータとを有することを特徴とするペットの乾燥機。
【考案の詳細な説明】
【技術分野】
【０００１】
本考案は、家庭で飼育するペットを洗った後に、各家庭においてペットを乾かすために使用することに適したペットの乾燥機に関する。
特に、ペット乾燥機の外の空気（以下単に「外気」という。）とペット乾燥機の中の空気（以下単に「内気」という。）とを適宜混合してブロアで吸引し、ヒータで加熱して温風にし、前記温風を吹き付けてペットを乾燥させるペットの乾燥機に関する。
【背景技術】
【０００２】
家庭で犬、猫、ウサギ、フェレットなどをペットとして飼育している場合、特に屋内でペットを飼育する場合は頻繁にペットを洗うことが多い。通常ペットを洗うときは、風呂場でペットを洗った後にタオルで拭き、その後ドライヤーを使用して温風を吹き付けてペットを乾燥させていた。
しかし体全体に長い毛を有するペットの場合は、乾燥のために長時間を要する問題があった。また、ペットはおとなしくじっとしていることは少なく常に動くため、ペットを静止させるために手間がかかり飼い主に大きな負担となっていた。さらに、ペットから抜け落ちた毛が舞いあがり部屋の中に毛が散乱して掃除の手間がかかる問題を有していた。
そこで、ケーシングの中に設けた開口率の高い部材からなる概略円筒形状の籠の中にペットを格納し、籠の概略円筒面の外側を公転するノズルダクトを設け、ノズルダクトの概略円筒面側にノズルを設けて、ヒータで暖めた温風をノズルからペットに向かって吹き出させるペットの乾燥機を試作してテストした。
このとき、ペットに吹き付ける温風の温度は摂氏５０〜７０度にすることが好ましいが、外気だけをブロアで吸引してペットに吹き付けると大きな能力のヒータが必要となり、無駄にエネルギーを消費するとともに設備が過大になる問題があった。一方、内気だけをブロアで吸引してペットに吹き付けると、ペットに吹き付ける温風の湿度が高くなり、ペットを乾燥させることができなくなる問題を有していた。
また、ペットの顔に温風を吹き付けると、目が乾燥してしまうためペットが目の病気を罹患しやすくなる問題や、鼻の中の粘膜や肺を乾燥させてしまうためペットが鼻や肺の病気を罹患しやすくなる問題を有していた。
さらに、ペットには小型のペットから大型のぺットまであり、小型専用のペットの乾燥機から大型専用のペットの乾燥機まで、ペットのサイズ毎に乾燥機を用意することは経済的でない。
【考案の開示】
【考案が解決しようとする課題】
【０００３】
本考案の目的は、外気のみをペットに吹き付ける考案の有する、無駄にエネルギーを消費するとともに設備が過大になる問題をなくすことにある。さらに、内気のみをペットに吹き付ける考案の有する、温風の湿度が高くなりペットを乾燥させることができなくなる問題を解決して、小さなヒータを使用して短時間の間にペットを乾燥させることのできるペットの乾燥機を提供することにある。
【課題を解決するための手段】
【０００４】
ペットを格納することを可能とした籠であって、５０％以上の開口率を有する部材からなる略円筒面を有する概略円筒形状の籠を設ける。
また、籠の概略円筒面の外側を公転するノズルダクトを設け、ノズルダクトの概略円筒面側にノズルを設ける。そして、ノズルダクトに空気を送風するブロアと、ブロアで送風する空気を暖めるヒータとを有するペットの乾燥機とする。
さらに、装置を囲うケーシングを設けて外気から内気を分離し、外気と内気とを適宜混合してブロアで吸引してノズルダクトに送風し、ノズルからペットに向けて吹き出させるように構成する。
【考案の効果】
【０００５】
本考案により、外気と内気とを適宜混合してブロアで吸引してノズルダクトに送風し、ノズルからペットに向けて吹き出させるように構成したので、外気だけをブロアで吸引してペットに吹き付ける考案の有する、大きな能力のヒータが必要となり、無駄にエネルギーを消費するとともに設備が過大になる問題がなくなり、小さなヒータで十分ペットを渇かすことのできるペットの乾燥機を提供することができた。
また、内気だけをブロアで吸引してペットに吹き付ける考案の有する、ペットに吹き付ける温風の湿度が高くなり、ペットを乾燥させることができなくなる問題がなくなり、短時間の間にペットを渇かすことのできるペットの乾燥機を提供することができた。
【考案を実施するための最良の形態】
【０００６】
請求項１の考案は、ブロアで吸引した空気をヒータで加熱して温風にし、前記温風を吹き付けてペットを乾燥させるペットの乾燥機において、外気と内気とを適宜混合して前記ブロアで吸引するように構成したペットの乾燥機とする。
外気と内気を適宜混合する方法には、ペット乾燥機の一部に開口を設け、外気と内気の出入りを自由にして、自由に混合した空気をブロアで吸引する方法がある。また、強制的に外気をブロアの吸引口まで送風して内気と共にブロアで吸引させることにより、外気と内気を適宜混合させる方法もある。
さらに、ブロアの吸引口に分岐ダクトを取り付け、一方の吸込口を外気に向け他方の吸込口を内気に向け、それぞれの風路にダンパやオリフィスなどの流量調整手段を設ける方法もあり、いずれの方法でもよく特にこだわるものではない。
外気と内気を適宜混合させる割合については、大半は内気を吸引して外気を少し混合させる程度が好ましい。外気の割合が増加するに従いヒータの容量を増加させる必要があり、可能な限り外気の割合を少なくすることが好ましいからである。
請求項２の考案は、ブロアで吸引した空気をヒータで加熱して温風にし、前記温風を吹き付けてペットを乾燥させるペットの乾燥機において、外気を前記ブロアの空気吸引口まで送風するファンと外気ダクトを設け、前記外気ダクトの外気吹出口と前記ブロアの空気吸引口との間に隙間を設けたペットの乾燥機とする。
本考案は、ファンと外気ダクトにより外気をブロアの空気吸引口まで強制的に送風し、ブロアは強制的に送風された外気を吸引すると共に、外気ダクトの外気吹出口とブロアの空気吸込口との間の隙間から内気を吸引して外気と内気を適宜混合するものである。
【０００７】
請求項３の考案は、請求項２に記載したペットの乾燥機において、外気ダクトの外気吹出口の面積をブロアの空気吸引口の面積より小さくし、前記空気吸引口を正面から見たときに前記外気吹出口が前記空気吸引口の面積内に収まるよう配置したペットの乾燥機とする。
ファンで外気ダクトを通して送風する風量の全てをブロアの吸引口から吸引させるためには、外気ダクトの外気吹出口の面積をブロアの空気吸引口の面積より小さくして、前記空気吸引口を正面から見たときに前記外気吹出口が前記空気吸引口の面積内に収まるよう配置することが好ましいからである。
請求項４の考案は、ブロアで吸引した空気をヒータで加熱して温風にし、前記温風を吹き付けてペットを乾燥させるペットの乾燥機において、前記ブロアの空気吸引口に合流ダクトを取り付け、前記合流ダクトの一方の口を外気を吸い込む外気吸込口とし、前記合流ダクトの他方の口を内気を吸い込む内気吸込口とし、それぞれの風路に流量調節手段を設けたペットの乾燥機とする。
本考案では、合流ダクトの一方から外気を他方から内気を吸い込む構成として、それぞれの風路に流量調節手段を設け、大半は内気を吸引して外気を少し混合させるようそれぞれの流量を調節することが好ましい。なるべく小さなヒータで温風を供給して熱エネルギの無駄な消費を防ぐためである。
【０００８】
請求項５の考案は、請求項１〜請求項４のいずれかに記載したペットの乾燥機であって、５０％以上の開口率を有する部材からなる円筒面又は略円筒面（以下単に「円筒面」という。）を有する籠と、前記円筒面の外側を公転し前記円筒面側にノズルを有するノズルダクトと、前記ノズルダクトに空気を送風するブロアと、前記ブロアで送風する空気を暖めるヒータとを有するペットの乾燥機とする。
本考案では、籠は完全な円筒でなくてもよい。多角形の断面を有する筒とすることなどにより実質的に円筒形に近い略円筒面を有する籠を得ることは可能だからである。
円筒面の材料としては、打ち抜き材料、網状の材料、格子状の材料、簀の子状の材料、エキスパンドメタル状の材料などが考えられ、その全面積に対する空間の比率である開口率が５０％以上であることが好ましい。さらには６０％、７０％、８０％、９０％と開孔率を高くすれば高くする程好ましい。
開口率は高いほど好ましいが、あまり目の粗い材料でペットの足が乗る部分を構成するとペットが足を踏み外す問題が生じる。かかる場合には、ペットの足が乗る部分のみ開口率の低い部材として、他の部分に開口率の高い部材を用いることにより、全体として開口率が５０％さらにはもっと高い開口率になる籠とする方法は有効である。
そして、ノズルダクトの円筒面側には多数のノズルを設ける。
ノズルダクトを公転させる構成としては、籠の外側に設けた輪の形状を有する２本のレール上をノズルダクトが走行する構成としたり、回転するアームに取り付けたノズルダクトを籠の外側を公転させる構成とすることは好ましい。
この場合、ブロアからノズルダクトへのダクト配管の途中に回転継ぎ手を使用する必要がある。
また、送風管であって回転可能に保持されたダクト軸部とノズルダクトとを連結管で連結し、ダクト軸部の回転に伴い円筒面の外側をノズルダクトが公転するようにし、ダクト軸部を回転させるための回転駆動部を設ける構成も好ましい。
この場合、ブロアとダクト軸部とを連結する給気ダクトを設け、給気ダクトとダクト軸部との結合部には空気が漏れないようにシールを設けることが好ましい。
そして、ブロアの空気吸引部、ブロアからノズルダクトへのダクト配管又はブロアとダクト軸部とを連結する給気ダクトのいずれかの中にヒータを設ける。
【実施例１】
【０００９】
以下本発明の実施例１を図１〜図３に示し説明する。実施例１のペットの乾燥機１は小型〜中型のペット用の乾燥機である。
実施例１はケーシング３と、円板面２ｂを垂直にしてケーシング３に取り付けた籠２と、回転可能に保持したノズルアーム７と、ノズルアーム７を回転させる回転駆動部５及びブロア１０などを有するものとした。
ケーシング３の前面３ｂには扉４を取り付け、扉４はヒンジ１１を介して前面３ｂに対して開平可能に取り付けた。また、扉４には上部の概略半円弧と下部の概略半円弧を接線で結んだ形状に区画した長穴４ａを設け、首穴板６を扉４に沿ってスライド可能に拘束する２本のガイド４ｅと、首穴板の位置決めを行うためのストッパ４ｆを取り付けた。
また、穴６ａを有する首穴板６を扉４に重ねて取り付けた。穴６ａは首穴板６の一方の辺近くであって他方の辺から離れた位置に設けた。そして、一方の辺を下にしてストッパ４ｆに当てると扉４の下部の概略半円弧の中心と穴６ａの中心が一致し、他方の辺を下にしてストッパ４ｆに当てると扉４の上部の概略半円弧の中心と穴６ａの中心が一致するように構成した。
籠２は円筒面２ｃと、後方の円板面２ｂと、前方の円板面の全部を開口とした開口面２ａとからなる円筒形状を有するものとし、円筒面２ｃと円板面２ｂは開口率７０％以上のエキスパンドメタルを使用した。そして、開口面２ａをケーシング３の扉４に向けて取り付けた。
【００１０】
ノズルアーム７は、いずれも送風管としたダクト軸部７ｂと、ノズルダクト７ｃ及び連結管７ｄとからなり、ノズルダクト７ｃの円筒面２ｃ側及び連結管７ｄの円板面２ｂ側には多数のノズル７ａを設けた。
また、支持フレーム８によりケーシングの床面３ａに固定した軸受ケース８ｂを設け、軸受ケース８ｂに取り付けた２個のベアリング８ａを介してダクト軸部７ｂを回転可能に保持し、ダクト軸部７ｂの回転中心と籠の円筒面２ｃの中心とを一致させた。
さらに、モータ５ａと駆動ホイール５ｃと従動ホイール５ｂとからなる回転駆動部５を設け、従動ホイール５ｂをダクト軸部７ｂに取り付け、駆動ホイール５ｃと従動ホイール５ｂとが互いに押し合い接触するように構成した。
また、外気ダクト１２の外気吸込口１２ａ及び外気吹出口１２ｂの面積をブロアの空気吸引口１０ａの面積より小さくし、ケーシングの後面３ｃの穴にダクト吸込口１２ａを取り付け、外気吹出口１２ｂをブロア１０の空気吸引口１０ａに向けて外気ダクト１２を設け、空気吸引口１０ａを正面から見たときに外気吹出口１２ｂが空気吸引口１０ａの面積内に収まるよう配置して、ブロアの空気吸引口１０ａと外気吹出口１２ｂとの間に隙間１５を設けた。
そして、外気吸込口１２ａ付近に３．１ｗのファン１４を取り付けた。さらに、３２０Ｗのブロア１０を設け、ブロア１０の吹出口とダクト軸部７ｂとを給気ダクト９で連結し、給気ダクト９内に１２００Ｗのヒータ９ｂを取り付けた。そして、ダクト軸部７ｂと給気ダクト９の間にはシール９ａを取り付けた。
また、空気吸引１６ａには開目１ｍｍの金網からなる図示しないフィルタを取り付けた。犬から抜け落ちた毛を取り除くためである。  
また、籠２の下には容器２０を設け、前面３ｂ側に取り付けた図示していない取っ手を押し引きすることにより、容器２０を引き出すことを可能に取り付けた。
また、ケーシング３には図示しない排気口を設けた。屋内に実施例１の乾燥機１を設置したときに、必要に応じて排気口から屋外までのダクト配管を設けることを可能な構成としたものである。
【００１１】
実施例１は上記のように構成されており、以下その作用について説明する。例えば風呂場などで犬を洗った後に乾燥させるため実施例１のペットの乾燥機を使用する飼い主は、首穴の高さを犬に合わせて設定する。
首穴板６をスライドさせてガイド４ｅから抜き出し、犬が小型の場合は一方の辺を下にして、犬が中型の場合は他方の辺を下にして、ガイド４ｅに差し込み一方の辺又は他方の辺がストッパ４ｆに当たるまで差し込む。
このようにすると、犬が小型の場合は下部の概略半円弧と穴６ａの上方の円弧とで構成する首穴となり、犬が中型の場合は扉４の上部の概略半円弧と一致する穴６ａで構成する首穴となる。  
そして、扉４を開けて犬を籠２に格納した後に扉４を閉める。飼い主が声がけすると犬は首穴から顔を出して飼い主に触れ合おうとする。このように、本考案は小型の犬と中型の犬に合わせ２段階で首穴６ａの高さを調整可能としたものである。
その後モータ５ａとブロア１０とファン１４を駆動する。すると、駆動ホイール５ｃの回転に伴い従動ホイール５ｂは回転する。従動ホイール５ｂの回転と共にノズルアーム７は回転し、ノズルダクト７ｃは籠の円筒面２ｃの外側を公転する。
また、ファン１４に吸引された外気は外気吸込口１２ａを通り外気吹出口１２ｂからブロア１０の空気吸引口１０ａに向かって吹出す。
ファン１４により供給された外気の全てとケーシング３内の内気は共にブロア１０に吸引され、給気ダクト９を通過する間にヒータ９ｂにより加熱され、ダクト軸部７ｂを通過して連結管７ｄ及びノズルダクト７ｃに供給され、ノズルダクト７ｃと連結管のノズル７ａから吹き出して、円周面２ｃと円板面２ｂの空間を通過して犬に吹き付ける。
【００１２】
３．１ｗのファン１４の動力は、３２０Ｗのブロア１０の動力に比べ非常に小さな動力としたため、大半は内気を吸引して外気を少し混合させるよう外気と内気の量を調節したことになる。
そして、犬に吹き付けた後の湿った空気の大半は再びブロア１０に吸引されるが、一部（ファン１４によって吸い込まれた量と同じ量の内気）はケーシング３に取り付けた図示しない排気口から外に流れる。
本考案では、ノズルアーム７は犬の回りを常に公転しているので、犬の体全体にまんべんなく温風を吹き付けることができ、犬の腹や、尾と体が接触する部分や、脇の下などにも温風を吹き付け、局部的に乾きの悪い部分が生じない。
また、常に移動しながら温風を吹き付ける構成とし、温風の当たる犬の部分が変化するようにしたため、温風の温度を摂氏５０〜７０度に上昇させることが可能となり、温度の高い温風を吹き付けることにより、より効率的に犬を乾かすことができる。
また、犬が扉４と首穴板６とで構成した首穴から顔を出した状態で温風を吹き付けるため、犬の顔に温風を吹き付けることがなく、犬が目や鼻や肺の病気を罹患しやすくなることはない。
犬の体から落下した水滴や毛などは、籠の下に置いた容器２０に収容されるので、容器２０を引き出して回収することは容易である。
【実施例２】
【００１３】
本実施例は実施例１に対し、外気ダクト１２が合流ダクト１６に変わり、ファン１４がなくなってオリフィス１６ｃ、１６ｄを設けた点で異なる。重複した説明を避け実施例１と異なる構成と作用について記載する。
実施例２では、ブロア１０の空気吸引口１０ａに隙間を設けずに合流ダクト１６を設けた。合流ダクト１６の外気吸込口１６ａをケーシングの後面３ｃの開口に取り付け、内気吸込口１６ｂをケーシング３の中に開放した。そして、外気吸込口１６ａと内気吸込口１６ｂにはそれぞれオリフィス１６ｃ、１６ｄを取り付けた。
本実施例では、オリフィス１６ｃの開口はオリフィス１６ｄの開口と比べ非常に小さいので、大半は内気を吸引して外気を少し混合させるようそれぞれの流量を調節したことになる。
【産業上の利用可能性】
【００１４】
本発明は、ペットの乾燥機を製造販売する産業、ペット関連物品を流通させたり販売する産業及びペットを対象としたトリミングサービスやホテルサービスなどを提供する産業に利用される。
【図面の簡単な説明】
【００１５】
【図１】前方左斜め上方から見た実施例１の斜視図である。
【図２】側面から見た実施例１の断面図である。
【図３】図２のＪ−Ｊ視断面図である。
【図４】図３に相当する他の実施例の図である。
【符号の説明】
【００１６】
１  ：ペットの乾燥機        ２  ：籠                    ２ａ：開口面
２ｂ：円板面                ２ｃ：円筒面                ３  ：ケーシング
３ａ：床面                  ３ｂ：前面                  ３ｃ：後面
４  ：扉                    ４ａ：長穴                  ４ｅ：ガイド
４ｆ：ストッパ              ５  ：回転駆動部            ５ａ：モータ            ５ｂ：従動ホイール          ５ｃ：駆動ホイール          ６  ：首穴板
６ａ：穴                    ７  ：ノズルアーム          ７ａ：ノズル
７ｂ：ダクト軸部            ７ｃ：ノズルダクト          ７ｄ：連結管
８  ：支持フレーム          ８ａ：ベアリング            ８ｂ：軸受ケース
９  ：給気ダクト            ９ａ：シール                ９ｂ：ヒータ
１０  ：ブロア              １０ａ：空気吸引口          １１  ：ヒンジ
１２  ：外気ダクト          １２ａ：外気吸込口          １２ｂ：外気吹出口
１４  ：ファン              １５  ：隙間                １６  ：合流ダクト
１６ａ：外気吸込口          １６ｂ：内気吸込口          １６ｃ：オリフィス
１６ｄ：オリフィス          ２０  ：容器
【図１】
0003113155.tif 000003
【図２】
0003113155.tif 000004
【図３】
0003113155.tif 000005
【図４】
0003113155.tif 000006